(57)【要約】【課題】便槽（発酵槽）内で、微生物による屎尿処理の行なえるトイレの改良に関する。【解決手段】撹拌手段を備えた閉空間を形成する便槽内に、初期始動時に好気性発酵微生物を植えつけた有機炭素含有量の多い炭素元、例えばオガクズを充填して発酵槽とし、このオガクズに屎尿が投下されると屎尿中の有機質及び窒素分を栄養源とする前記微生物の発酵によって前記屎尿を分解消滅させ、しかも分解によって発生する熱エネルギーをオガクズに作用させることにより屎尿中の水分を蒸発させ、前記オガクズをコンポスト化するようにしたトイレにおいて、別途、小便器を設け、更に尿を一時的に貯める尿溜めタンクを設け、尿溜めタンクからの尿を前記便槽（発酵槽）内に制御して導くようにした。【選択図】図１
2006212125.tif 000002
【特許請求の範囲】
【請求項１】
撹拌手段を設けた閉空間を形成する便槽内に有機炭素含有量の多い炭素元を所定量充填し、この炭素元に初期始動時に好気性発酵微生物を植えつけて発酵槽とし、便槽（発酵槽）内に投下する屎尿を前記微生物の発酵能力を利用して、屎尿中の有機物質および窒素分を分解消滅させて熱エネルギーに変換して、この熱エネルギーを炭素元に及ぼすことで屎尿中の水分を蒸発させ、前記炭素元をコンポスト化することを特徴とする屎尿処理を好気性微生物による発酵能力を利用して行うようにしたトイレにおいて、別途、小便器を設け、更に小便器からの尿を一時的に貯める尿溜めタンクを設け、尿溜めタンクからの尿を前記便槽（発酵槽）内に制御して導くようにしたことを特徴とするトイレシステム。
【請求項２】
請求項１記載の撹拌手段をそれぞれが反巻き方向にら旋を形成する２個のら旋羽根を対向させて形成し、しかも対向部位のそれぞれのら旋羽根端末を両羽根の交さ点より延出するように構成したことを特徴とする、屎尿処理を好気性微生物による発酵能力を利用して行なうようにしたトイレにおいて、別途、小便器を設け、更に小便器からの尿を一時的に貯める尿溜めタンクを設け、尿溜めタンクから尿を前記便槽（発酵槽）内に制御して導くようにしたトイレシステム。
【請求項３】
請求項１および請求項２記載の閉空間を形成する便槽（発酵槽）内において、空気を流出入する空間部に、前記空気を加温器を介して加温するようにしたことを特徴とする屎尿処理を好気性微生物による発酵能力を利用して行うようにしたトイレにおいて、別途、小便器を設け、更に小便器からの尿を一時的に貯める尿溜めタンクを設け、尿溜めタンクから尿を前記便槽（発酵槽）内に制御して導くようにしたトイレシステム。
【請求項４】
請求項１から請求項３において、尿溜めタンクに排気ファンを有する煙突を取り付け、煙突の排気通路内に消臭フィルターを設け、便槽（発酵槽）にも排気ファンを有する煙突を取り付け、煙突の排気通路内に消臭フィルターを設けたことを特徴とする、尿溜めタンクから尿を前記便槽（発酵槽）内に制御して導くようにしたトイレシステム。
【請求項５】
便槽内に、正方向巻きのら旋羽根と逆方向巻きのら旋羽根とからなり、その中間部にら旋羽根の交さ部を有する撹拌部を設け、便槽外にら旋羽根の駆動部を設け、便槽内の下部に加熱手段を設け、便槽内の空間部に加温器を設け、便槽上に、排気ファンを有する煙突、投入取り出し口、および大便器を設け、便槽内に有機炭素含有量の多い物質を所定量充填して発酵槽とし、駆動部は左右交互運転させることにより、所定量充填物を発酵槽内で軸方向に往復移動させ、投入された屎尿の滞留時間を大きくさせるものであり、
一方、別途設けた複数の小便器と、更に小便器からの尿を一時的に貯める尿溜めタンクとを設け、尿溜めタンクからの配管を複数の便槽（発酵槽）に便槽（発酵槽）毎に電磁弁を介して接続し、尿溜めタンクからポンプを通して一定量を送るトイレシステムにおいて、
複数の便槽（発酵槽）には使用回数を計測するカウンターを設け、使用回数が設定値を超えると、トイレのドアーが自動ロックするようにし、
小便器から尿溜めタンクに溜められた尿は、定量ポンプＰ１回の稼動時間で１人分の尿を便槽（醗酵槽）１に送るように設定し、稼動時間をタイマーのＯＮ、ＯＦＦでコントロールすることにより、上記カウンターに使用回数を加算し、
複数の便槽（醗酵槽）で、まだ設定回数に到達していない若い順番の便槽（醗酵槽）１の電磁弁が自動的に開かれ、上記で設定された方法で尿溜めタンクから便槽（醗酵槽）１に尿が送られ、計測数が設定値を超えると、その便槽（醗酵槽）の電磁弁が閉じ、次にまだ計測値が設定値に達していない次に若い順番の便槽（醗酵槽）１の電磁弁が開き、同様の運転がなされ、尿溜めタンクが空になれば、定量ポンプＰは尿タンクに設けられたレベル計により自動停止することを特徴とする
請求項１から請求項４に記載されたトイレシステムおいて、尿を一時的に貯める尿溜めタンクから、尿を便槽（発酵槽）内に送る制御方法。
【発明の詳細な説明】
【技術分野】
【０００１】
本発明は、屎尿処理を好気性微生物（発酵菌）による発酵能力を利用して行うようにしたトイレの改良に関するものである。
【背景技術】
【０００２】
山や海の観光地における従来のトイレには、汲取式と水洗式とがあり、汲取式の場合は、屎尿を野外または海中投棄で処理し、水洗式の場合は下水処理場での浄化処理を行った上での放流かあるいは直接海中への放流を行なっていた。
前記浄化処理は、大量の水を使うばかりでなく、浄化に際して多くのエネルギーコストを必要としていた。また汲み取り式は屎尿による河川、湖沼及び海水の水質汚染を引き起こしていた。
【０００３】
前記汲取式トイレの問題を改善するために、好気性微生物（発酵菌）による自然浄化作用を利用して屎尿を分解処理する試みが行われている。
この具体例としては、屎尿とオガ粉、粉砕籾殻やビートモス等との混合物を好気性微生物（発酵菌）によって分解し、発酵熱等によって水分を蒸発して、屎尿の容積を減少し、、一方、昇温によって大腸菌や寄生虫等を死滅させて、コンポスト（有機肥料）として有効利用しようとするものである。
【特許文献１】特開昭６０−２２０１９８号公報
【特許文献２】特開昭６０−２４１９９９号公報
【０００４】
前記好気性微生物（発酵菌）の発酵メカニズムを利用したトイレをさらに効率よく行えるように改良したトイレが実用化されている。
即ち、便槽（発酵槽）内に、ら旋羽根を設け、ら旋羽根は正方向巻きのら旋羽根と逆方向巻きのら旋羽根とからなり、その中間部にら旋羽根の交さ部を設け、便槽（発酵槽）外にら旋羽根の駆動部を設け、便槽（発酵槽）内の下部に加熱手段を設け、便槽（発酵槽）上に、排気ファンを有する煙突、投入取り出し口、および便器を設け、便槽（発酵槽）内の空間部に加温器を設けたトイレである。
【特許文献３】特開平１１−２５３３５３号
【０００５】
前記トイレの実用化されている便槽（発酵槽）１（コスモ・エース工業株式会社製、コスモ・エースＵ−５０型）は、便槽（発酵槽）１の有効容量が５００リットルであり、外形寸法は、高さ１０６９ｍｍ、巾８８０ｍｍ、長さ１８７０ｍｍであり、重量は２２０Ｋｇ、電気容量は、ヒータ４８０Ｗ、モーター２００Ｗ、排気ファン１７Ｗ、合計６９６Ｗである。
この具体例の平面図を図１６、断面図を図１７、側面図を図１８、および配線系統図を図１９に、それぞれ示す。
この便槽（発酵槽）１の上面部に、大便器、小便器および排気ファンを有する煙突を取り付けて、トイレ室を構成し、トイレ入り口に押しボタンスイッチまたは光センサーを取り付けて、利用者の使用回数をカウントするトイレシステムである。
また、システム制御盤から撹拌モーターへ４端子で接続されているのは、押しボタンスイッチ又はセンサーから使用の度に正逆が切り替えられてシステム制御盤のリモートスイッチに入力され、それに応じて撹拌モーターも正逆が切り替えられて回転するものである。
【０００６】
前記トイレシステムを使用するに際しては、便槽（発酵槽）１にオガクズ５０００リットルを初期投入する。オガクズの含水率１０〜１５％、比重０．６として、オガクズの重量は３００Ｋｇ（実測値）になる。
このオガクズは、好気性微生物が、屎尿を分解する時に必要とする炭素元になる。
この炭素元に好気性微生物（発酵菌）を植え付ける。
利用者によりトイレが使用されるとカウントされ、、屎尿が便槽（発酵槽）１に入ると、スクリューが回転し、屎尿は初期セットのオガクズと混合される。
微生物の活動により、屎尿を分解する過程で発酵熱が発生し、便槽（発酵槽）１内の温度は６０°Ｃから７０°Ｃにまで上昇する。
この熱により、屎尿の水分は全て蒸発する。蒸発した水分は、排気ファンを有する煙突から排気される。
屎尿は９５％以上が水分で、その水分の殆どが蒸発する。そして、残った屎尿の約５％の有機質は微生物によって分解される。
このようにして、屎尿は全て分解消滅する。
そして、好気性微生物は、屎尿とオガ粉とを分解し始め、尿は消滅し、オガ粉はコンポストになる。オガ粉のコンポスト化が進むと炭素元が不足するので、便槽（発酵槽）１の発酵維持のために、定期的に（使用状況に応じて、４ヶ月から６ヶ月に１回）新しいオガクズを約１８リットル程度、便槽（発酵槽）１に補給する。
この時、コンポスト化した初期セットのオガ粉を同量取り出し口から取り出す。取り出したコンポストは、乾燥して無臭になっており、良質な堆肥として再利用できる。
【０００７】
前記トイレシステムの１日の処理能力は、１台当り、常温２５°で標準２５リットルである。
標準、大人１人１回平均２５０ｍｌの使用量として、１日１００回使用可能である。
このトイレシステムは、カウンターにより制御し、使用者の使用回数をカウントして、１００回でドアが自動的に閉まり使用できなくしてある。
その後、２４時間経つと好気性微生物（発酵菌）の発酵により使用可能となり、自動的にドアが開けられるようになり、また使用できる。
【０００８】
前記実用化されているトイレシステムを、寒冷地における観光地で使用することを前提として、以下のとおりシミュレーションを行った。
トイレ１台の処理能力は、気温５°として、気温が下がることにより、従来の実績から、１８．３８リットル／日とした。
便槽（発酵槽）１の発酵条件は、発酵槽におけるオガクズの水分率が６０％以下である。
オガクズの水分率が６０％を超えると、極端に発酵効率が落ちる。
モデル宿泊施設の収容人数を１００人とし、大人１人１日２回使用するとし、さらに外部の利用者を考慮し、５台設置する。
５台設置時の総処理能力を１日当り９２リットルとした。
また、３台、４台、および６台設置した場合も、同様に、比較のためにシミュレーションを行った。
観光シーズンを前提として、トイレ利用者数を下記のように想定し、処理状況をシミュレーションした。
１．７月上旬：収容人数の２倍
２．７月中旬：収容人数の４〜５倍
３．海の日前後：収容人数の８〜９倍
４．７月下旬：収容人数の２０倍
５．８月上旬：収容人数の２０倍
６．お盆の前後：収容人数の１０〜１２倍
７．その他の日：収容人数の２〜３倍
【０００９】
前記シミュレーションの結果を表１として図４に示す。
図４に示す表１について、説明を付け加えると、左欄の「日数」における１から始まる数字は、７月１日からの経過日数である。
このシミュレーションにおいては、利用者の使用人数総数を、２０，６３０人とした。
また、利用者の使用人数と、便槽（発酵槽）１の使用回数とは同じである。
表１において、実践で囲った範囲、即ち、利用日数３０日から６１日の期間は、発酵槽の水分率が６０％を超えており、発酵条件（オガクズの水分率６０％以下）を大きくはずれてしまっている。
これは観光シーズンのピーク時における利用者の尿が多いためである。
そして、５台の便槽（発酵槽）１の総処理能力（１日９２リットル）を超えてくる日が何日もある。そのために、この期間は、使用できないトイレが何台も出てきてしまう。
【００１０】
前記シミュレーション表１（図４）における便槽（発酵槽）１を５台設置時の使用日数における使用回数（使用人数）の推移を示すグラフを図６に示す。
また、同様に、使用日数における発酵槽水分率（％）の推移を示すグラフを図７に示す。
前記図６および図７をまとめて、同様に、使用日数における発酵槽水分率（％）と使用回数（使用人数）との関係を示すグラフを図８に示す。
図７および図８を見れば、観光シーズンのピーク時において、発酵槽の水分率が６０％を超え、この期間は、使用できないトイレが何台も出てきてしまうことが明らかである。
さらに、前記シミュレーション表１（図１）において、便槽（発酵槽）１を３台、４台、５台、および６台設置時の使用日数における発酵槽水分率（％）の推移を示すグラフを図９に示す。また、同様に、使用日数における発酵槽水分率（％）と使用回数（使用人数）との関係を示すグラフを図１０に示す。
図９および図１０を見れば、前記観光シーズンのピーク時においては、便槽（発酵槽）１を６台設けても、使用できないトイレが何台も出てきてしまうことが明らかである。
【発明の開示】
【発明が解決しようとする課題】
【００１１】
解決しようとする問題点は、前記した観光シーズンのピーク時における利用者数の増大によりトイレが使用できなくなる点である。
【課題を解決するための手段】
【００１２】
本発明は、観光シーズンのピーク時における利用者数の増大においても、トイレを使用可能とするため、便槽（発酵槽）１の発酵条件（水分率）を超えないように、別途、小便器を設けて、尿を溜めるタンクを設けることを最も主要な特徴とする。
【発明の効果】
【００１３】
本発明の屎尿処理を好気性微生物の発酵能力を用いて行うトイレシステムは、別途、小便器を設け、その尿を一時的に貯めておく尿溜めタンクを設けたため、観光シーズンのピーク時における利用者数の増大に対応できるので、トイレの設置台数を増やさなくてすむという利点がある。
【発明を実施するための最良の形態】
【００１４】
観光シーズンのピーク時においても、トイレを使用可能とするという目的を、便槽（発酵槽）１の他に、別途、小便器を設け、さらに尿を溜める尿溜めタンクを設けることにより、観光シーズンのピーク時における利用者数の増大による使用回数の増大に対応するために、便槽（発酵槽）１の設置台数を増やさずに実現した。
【実施例１】
【００１５】
本発明システムに係る実施例１の概略図を図１に示す。便槽（発酵槽）１ユニット（Ｕ−５０）は、段落番号［０００５］に記載したコスモ・エース工業株式会社製、コスモ・エースＵ−５０型である。
この便槽（発酵槽）１ユニット（Ｕ−５０）は、図１６、図１７および図１８に示すように、便槽（発酵槽）１、上蓋２、撹拌スクリュー３、減速機付撹拌モータ４、モータブラケット５、小スプロケット６、大スプロケット７、チェーンガイド８、チェーン９、および加温器１０からなり、便槽（発酵槽）１の上面部に、大便器取付口、小便器取付口、排気口を有している。
そして、これらを制御する制御ユニットを有している。
また、便槽（発酵槽）１ユニット（Ｕ−５０）の処理能力は、１台当り、常温２５°で標準２５リットル／日であることは、前記したとおりである。
便槽（発酵槽）１ユニット（Ｕ−５０）の設置台数は任意であるが、実施例１においては、５台設けている。
そして、図８に示す大便器取付口に大便器を、排気口に排気ファン１１を有する煙突（図示せず。）を取り付け、煙突の排気通路内に消臭フィルター１２（図示せず。）を設ける。排気ファンの排気量は、０．２〜０．４ｍ3／分の範囲が適当であるが、実施例１においては、０．３ｍ3／分に設定した。
しかし、小便器取り付け口には小便器を取り付けず、小便器は別途設け、小便器からの尿は別途設けた尿溜めタンクに溜め、尿溜めタンクからの配管を便槽（発酵槽）１ユニット（Ｕ−５０）の小便器取付口に接続し、電磁弁Ｖ（ＡからＥ）を設ける。
このようにして、トイレ室を５部屋設け、各部屋には使用の回数を感知する光センサーＰＳを設ける。
各トイレ室の光センサーＰＳから制御ユニット（ＡからＥ）へは４端子で接続されており、制御ユニット（ＡからＥ）から減速機付撹拌モーター４へも４端子で接続されており（図参照）、光センサーＰＳからトイレ使用の度に正逆が切り替えられて制御ユニット（ＡからＥ）のリモートスイッチに入力され、それに応じて減速機付撹拌モータ４へも正逆が切り替えられて入力され、減速機付撹拌モータ４が正逆回転するものである。
別途設ける小便器の設置台数および尿溜めタンクの大きさは任意であるが、実施例１においては、小便器を３台設け、尿溜めタンクの容量は５００リットルとした。
尿溜めタンクには、排気ファン１１を有する煙突を取り付け、煙突の排気通路内に消臭フィルター１２を設ける。排気ファン１１の排気量は１．０ｍ3／分に設定している。
さらに、尿溜めタンクから定量ポンプＰを使用し、配管を通し、各々電磁弁Ｖ（ＡからＥ）を介して便槽（発酵槽）１ユニットの小便器取付口に尿の一定量を送るようにしたものである。
実施例１において、定量ポンプＰは１回２５０ｃｃの定量を送るように設定してある。
この量は、大人１回の尿の平均量である。
そして、便槽（発酵槽）１ユニット（Ｕ−５０）の制御ユニット（ＡからＥ）と、尿溜めタンクの定量ポンプＰとの全体を制御するシステム制御装置とを有する。
【００１６】
前記煙突の排気通路内に設ける消臭フィルター１２について述べると、消臭フィルターは各種市販されており、これら公知の消臭フィルターで尿の臭気を除去できるものならいずれのものでも良いが、中でも酸化チタン光触媒系のものが長期間使用できるので好ましい。実施例１においては、光が無くとも特殊セラミックのエネルギー励起効果により、酸化チタンに触媒効果を起こさせ、暗所化でも酸化チタンの消臭効果を発揮させるコーティング剤が市販されているので、このコーティング剤を任意のフィルターに塗布したものを使用している。このコーティング剤の具体例は、共立産業株式会社が販売している消臭用エコガードである。この製品は、７種類の特殊セラミックと酸化チタンとバインダーとからなるものである。
前記コーティング剤とは相違するが、無光性光触媒に関する資料を以下に示す。
【特許文献４】特開２００１−１７０４９９号
【００１７】
さらに具体的に説明する。
本発明のトイレシステムは、観光シーズンのピーク時における尿を尿溜めタンクに一旦貯留し、負荷の少ない時期にこの尿を便槽（発酵槽）１に送り、処理することを特徴とするものである。
本発明のトイレシステムの尿処理装置が稼動すると、図１における便槽（醗酵槽）１（Ｕ−５０）のＮｏ．ＡからＮｏ．Ｅまでの便槽（醗酵糟）１（Ｕ−５０）において、１日の処理量がその処理能力を超えていない便槽（醗酵槽）１が自動的に選択され、その便槽（醗酵槽）１の電磁弁Ｖが自動的に開き、尿溜めタンクの定量ポンプＰが稼動して、尿が便槽（醗酵槽）１に送入される。
定量ポンプＰは、公知の定量移送型を使用する。
定量ポンプＰの稼働時間と送入速度から送入尿の量が計算されて、送入量が便槽（醗酵槽）１の処理能力を超えると電磁弁が閉じられ、次の空いている便槽（醗酵槽）１を選択し、その電磁弁Ｖを開き同様な処理が繰り返される。
また、便槽（醗酵槽）１（Ｕ−５０）Ｎｏ．ＡからＮｏ．Ｅの各々には、使用回数を計測するカウンターＣＴの入力装置として光センサーＰＳが設けてあり、使用回数が設定値を超えると、トイレのドアーが自動的にロックするようになっている。
尿は１回の稼動時間で１人分の尿を便槽（醗酵槽）１に送るように設定し、稼動時間をタイマーのＯＮ、ＯＦＦでコントロールすることにより、上記カウンターに使用回数を加算する。
【００１８】
具体的な運転方法は以下のとおりである。
便槽（醗酵槽）のＮｏ．Ａ〜Ｎｏ．Ｅで、まだ設定回数に到達していない若い順番の便槽（醗酵槽）１の電磁弁電磁弁Ｖ（ＡからＥ）が自動的に開かれ、上記で設定された方法で尿溜めタンクから定量ポンプＰにより便槽（醗酵槽）１に尿が送られ、計測数が設定値を超えると、その便槽（醗酵槽）の電磁弁Ｖが閉じ、次に、まだ計測値が設定値に達していない次に若い順番の便槽（醗酵槽）１の電磁弁Ｖが開き、同様の運転が行われる。
尿溜めタンクが空になれば、定量ポンプＰは、尿タンクに設けられたレベル計ＦＬにより自動停止する。
【００１９】
本発明のトイレシステムにおけるシステム制御装置のシーケンス図を図２に示す。
また、前記便槽（発酵槽）１（Ｕ−５０）の各制御ユニット（ＡからＥ）は全て同じであるから、制御ユニットＡのシーケンス図を図３に示す。
なお、図２および図３において、黒丸で表示されているリレー接点（Ａ接点）は、通電時にＯＦＦで、非通電時にＯＮであり、また、白丸で表示されているリレー接点（Ｂ接点）は、通電時にＯＮで、非通電時にＯＦＦである。
また、図２に示される制御リレーＲＳＡ回路から制御リレーＲＳＥ回路は、それぞれ制御ユニットＡから制御ユニットＥに対応するものである。
なお、図２および図３における右端のＲおよびＳは、電圧が掛かっていることを示すものである。
以下に、図２および図３に示す本発明の尿処理システムのシーケンス図について説明する。
【００２０】
１．初めに、尿処理システム（図２）の電源投入のために尿処理スイッチＳＳ１を押す。
２．制御ユニットＡの制御リレーＲＳＡ回路（図２）のリレー接点Ｒ２Ａ（Ａ接点）は、制御ユニットＡ（図３）のカウンターＣＴ回路が、制御ユニットＡの処理能力を下回っているのでリレー回路Ｒ２がＯＦＦであるから、図２のリレー接点Ｒ２Ａ（Ａ接点）はＯＮになり、制御リレーＲＳＡ回路がＯＮとなる。
また、制御リレーＲＳＡ回路がＯＮになると、制御ユニットＢの制御リレーＲＳＢ回路から制御ユニットＥの制御リレーＲＳＥ回路までの各リレー接点ＲＳＡ（Ａ接点）がすべてＯＦＦになる。
そのために、制御ユニットＡが優先的に使用される。
３．次に、図２の制御ユニットＡの制御リレーＲＳＡ回路がＯＮとなるために、図３の制御ユニットＡの尿制御タイマーＴＲ４回路のリレー接点ＲＳＡがＯＮになり、尿制御タイマーＴＲ４が作動し、ＯＮ、ＯＦＦを繰り返す。
４．図３の尿制御タイマーＴＲ４のＯＮにより、リレーＲ４回路のリレー接点ＴＲ４がＯＮになり、リレーＲ４回路がＯＮになる。リレーＲ４回路がＯＮになると、カウンターＣＴ回路のリレー接点Ｒ４がＯＮになる。カウンターＣＴ回路のリレー接点Ｒ４がＯＮになるたびにカウンターＣＴに数量が加算されていく。
５．また、リレーＲ４回路がＯＮにより、尿バルブＶＡ回路のリレー接点Ｒ４がＯＮになり、尿バルブＶＡが開く。
６．また、同時に、リレーＲＡ回路がＯＮになるため、図２の尿タンクポンプＰ回路のリレー接点ＲＡがＯＮになり、尿処理システムのポンプＰが稼動し、尿溜めタンクから醗酵槽１へ尿が送られる。
７．１回の稼動時間で送られる尿の量を１人１回の尿の量（２５０ｍｌ）に尿処理システムのポンプを調整する。
８．図３のカウンターＣＴ回路は、トイレ室内に設けられた光センサーＰＳ回路のリレー接点ＴＲ１からリレーＲ１回路を介して、リレー接点Ｒ１によりトイレ室内に入る人数もカウントする。
９．カウンターＣＴ回路のリレー接点Ｒ４とリレー接点Ｒ１のＯＮの合算が醗酵槽１の処理能力を超えると、カウンターＣＴ回路のリレーＲ２回路がＯＮになる。
１０．リレーＲ２回路がＯＮになると、警報灯Ｌ回路のリレー接点Ｒ２がＯＮになり警報灯が点灯する。それと同時に、ドアー施錠ＬＣ回路のリレー接点Ｒ２がＯＮになり、ドアー施錠ＬＣ回路のドアーロックが作動し、トイレのドアーをロックする。
１１．なお、閉じ込み防止Ｒ３回路は、トイレ室内に閉じ込み防止スイッチＳＳ２を設けた自己保持回路からなり、閉じ込み防止スイッチＳＳ２を押すと、閉じ込み防止Ｒ３回路のタイマーＴＲ３が作動すると同時に、閉じ込み防止Ｒ３回路のリレー接点Ｒ３がＯＮになり、防止スイッチＳＳ２を離しても閉じ込み防止Ｒ３回路は一定時間ＯＮになる。閉じ込み防止Ｒ３回路のＯＮにより、ドアー施錠回路ＬＣのリレー接点Ｒ３（Ａ接点）がＯＦＦになり、ドア施錠が解除される。一方、一定時間後にタイマー回路ＴＲ３のＯＮにより、閉じ込み防止Ｒ３回路のリレー接点ＴＲ３（Ａ接点）がＯＦＦになり、閉じ込み防止Ｒ３回路がＯＦＦになるものである。
１２．次いで、リレーＲ２回路がＯＮになることにより、図２の制御リレーＲＳＡ回路のリレー接点Ｒ２Ａ（Ａ接点）がＯＦＦになるために、制御リレーＲＳＡ回路がＯＦＦになる。また同時に、尿制御タイマーＴＲ４回路のリレー接点ＲＳＡがＯＦＦになり、尿制御タイマーＴＲ４が止まる。
１３．図３の尿制御タイマーＴＲ４がＯＦＦになると、リレーＲ４回路のリレー接点ＴＲ４がＯＦＦになって、リレー回路Ｒ４がＯＦＦになり、尿バルブＶＡ回路のリレー接点Ｒ４がＯＦＦになる。そのために、この醗酵槽１に設置されている電磁弁ＶＡが閉じ、リレーＲＡがＯＦＦとなる。
１４．図３のリレーＲＡがＯＦＦとなるため、図２の尿タンクポンプＰ回路のリレー接点ＲＡがＯＦＦとなり、制御ユニットＡの尿バルブＶＡに尿を送るポンプＰが停止する。
１５．以上のように、制御ユニットＡが処理能力に達すると、図２の制御ユニットＡの制御リレーＲＳＡ回路のリレー接点Ｒ２Ａ（Ａ接点）がＯＦＦになり、制御リレーＲＳＡ回路がＯＦＦになる。その結果、制御ユニットＡは使用されなくなる。
１６．一方、図２の制御リレーＲＳＡ回路がＯＦＦになると、制御ユニットＢの制御リレーＲＳＢ回路のリレー接点ＲＳＡ（Ａ接点）がＯＮになる。そのために、次に、制御ユニットＢが使用される。同様にして、制御ユニットＣ、Ｄ、Ｅを次々と選択していく。
１７．そして、図２の尿タンクのレベル計ＦＬで尿溜めタンクが空になると、尿タンクレベル計ＲＬ回路がＯＮになり、尿タンクポンプＰ回路のリレー接点ＲＬ（Ａ接点）がＯＦＦになるため、ポンプＰは停止する。
【００２１】
本発明のトイレシステムを、寒冷地の観光地で使用することを前提として、シミュレーションを行った。その条件は、段落番号［０００７］と同じであり、異なるところは、別途、設けた尿溜めタンクを使用して尿処理を行うことである。
即ち、観光シーズンのピーク時における尿を尿溜めタンクに一旦貯留し、負荷の少ない時期にこの尿を便槽（発酵槽）１に送り処理するものである。
尿処理は、大人１人当たりの尿量を０．２５リットルとし、尿溜めタンクの容量は５００リットルとした。
前記トイレシステムを使用して、段落番号［０００７］と同じ条件で行ったシミュレーションの結果を表２として図５に示す。
この表２（図５）のシミュレーションにおいては、便槽（醗酵槽）１を３台から６台設置した場合についても比較のために表示している。
【００２２】
前記表２（図５）について、説明を付け加えると、左欄の「日数」は７月１日からの経過日数であることは前記と同じである。また、利用者の使用人数総数を、２０，６３０人としたことも前記表１の場合と同じである。
しかし、利用者の使用人数と、便槽（発酵槽）１の使用回数とは、尿溜めタンクを使用するかどうか出相違する。
即ち、尿溜めタンクの尿を全て便槽（発酵槽）１に送り、残量が０の場合は、利用者の使用人数と、便槽（発酵槽）１の使用回数とは同じである。
しかし、尿溜めタンクに尿を溜めておく場合は、利用者の使用人数と、便槽（発酵槽）１の使用回数とは相違する。
例えば、７月１日からの経過日数３１日の場合、利用者の使用人数２０００人に対して、尿溜めタンクに１５００人分の尿量を溜めている（−１５００と表示している。）ので、便槽（発酵槽）１の使用回数は５００となる。
また、尿溜めタンクから便槽（発酵槽）１に尿を送る場合（＋表示している。）は、利用者の使用人数に尿溜めタンクから便槽（発酵槽）１に尿を送る量を足した数値が使用回数になる。
この関係を前記使用日数における便槽（発酵槽）１の使用回数を示すグラフとして図１１に示す。
【００２３】
即ち、シミュレーションの概要は、以下のとおりである。
（１）．７月３１日（３１日）の利用者の使用人数２０００人分の内、１５００人分の尿量を尿溜めタンクに溜め、８月１日（３２日）から８月４日（３５日）にかけて、毎日１００人分の尿量を尿溜めタンクから便槽（発酵槽）１に送り、処理した。
（２）．８月６日（３７日）の利用者の使用人数２０００人分の内、１５００人分の尿量を尿溜めタンクに溜め、８月７日（３８日）から８月１４日（４５日）にかけて、表に記載した人数分の尿量を尿溜めタンクから便槽（発酵槽）１に送り、処理した。
（３）．８月１５日（４６日）の利用者の使用人数１２６０人分の内、８６０人分の尿量を尿溜めタンクに溜め、８月１６日（４７日）から９月１日（６１日）にかけて、表に記載した人数分の尿量を尿溜めタンクから便槽（発酵槽）１に送り、尿溜めタンク内の尿の全量を便槽（発酵槽）１で処理した。
【００２４】
前記表２（図５）において、便槽（発酵槽）１を５台設置した場合を見れば明らかなように、本発明のトイレシステムにおいて、尿溜めタンクによって尿処理を施すことにより、発酵槽水分率（％）は常に６０％を下回っており、約２０，６３０人の糞尿は、すべて完全に処理されている。
従来例の表１（図４）における便槽（発酵槽）１を５台設置時には、実践で囲った範囲、即ち、利用日数３０日から６１日の期間は、発酵槽水分率（％）が６０％を超えており、発酵条件（オガクズの水分率６０％以下）を大きくはずれてしまっていることと比較すれば、本発明のトイレシステムにおける尿溜めタンクを使用した尿処理システムの有効性は明らかである。
【００２５】
さらに、本発明の効果を分かりや易くするために、前記シミュレーション表２（図５）における便槽（発酵槽）１を５台設置した際に、本発明の尿溜めタンクを使用した場合において、使用日数における発酵槽水分率（％）の推移を示すグラフを図１２に示す。
また、前記図１１および図１２をまとめて、同様に、使用日数における発酵槽水分率（％）と使用回数との関係を示すグラフを図１３に示す。
すなわち、従来例の図６と本発明の図１１、従来例の図７と本発明の図１２、および従来例の図８と本発明の図１３とを比較してみれば良く分かるように、本発明のトイレシステムは、利用者が増えて、使用回数が増えても、発酵槽水分率が６０％を超えることが無く、良好な発酵条件を維持していることが明らかである。
【実施例２】
【００２６】
実施例１と同様にして、前記シミュレーション表２（図５）における便槽（発酵槽）１を３台、４台、および６台設置した場合について述べる。
便槽（発酵槽）１を３台設置した場合は利用日数３０日から６１日の期間が、便槽（発酵槽）１を４台設置した場合は利用日数３８日から６１日の期間が、それぞれ発酵槽水分率（％）が６０％を超えており、発酵条件（６０％以下）をはずれてしまっている。
しかし、便槽（発酵槽）１を５台および６台設置した場合は何の問題もない。
これは、本発明トイレシステムの処理能力と利用者の人数との関係を示すものである。
【００２７】
本発明トイレシステムの処理能力と利用者の人数との関係を分かりや易くするために、前記シミュレーション表２（図５）における便槽（発酵槽）１を３台、４台、５台および６台設置した際に、本発明の尿溜めタンクを使用した場合において、使用日数における発酵槽水分率（％）の推移を示すグラフを図１４に示す。
また、前記図１１および図１４をまとめて、同様に、使用日数における発酵槽水分率（％）と使用回数（使用人数）との関係を示すグラフを図１５に示す。
そして、従来例の図９と本発明の図１４、および従来例の図１０と本発明の図１５とを比較してみれば良く分かるように、本発明の尿溜めタンクを使用したトイレシステムは、従来例のトイレシステムを大幅に改良していることは明らかである。
【００２８】
前記したグラフにより、観光地の宿泊施設等が、利用者数の予測に応じて、本発明のトイレシステムにおいて、便槽（発酵槽）１を何台設置すれば良いかを判断することができる。
なお、これはシミュレーションの１例なので、尿を尿溜めタンクに溜める量・時期、尿を処理する時期等を変えることにより、処理人数をさらに増加させることも可能である。
【産業上の利用可能性】
【００２９】
本発明のトイレシステムは、小便器の設置台数および尿溜めタンクの量を適宜に選択することができるために、観光シーズンのピーク時における利用者数の増大においてもトイレを使用可能とすることができ、また、煙突に消臭フィルターをを取付けることによって、周辺環境の保護が不可欠な海・山・公園の観光地にも適用できる。
また、洗浄水や薬品をいっさい使用しない清潔で快適なトイレシステムである。
さらに、便槽（発酵槽）１から取り出されたコンポストは、乾燥して無臭なので優れた堆肥として再利用できる。
【図面の簡単な説明】
【００３０】
【図１】本発明に係る尿処理システムの全体を示す概略説明図である。
【図２】本発明におけるシステム制御装置のシーケンス図である。
【図３】本発明の便槽（発酵槽）１制御ユニットＡのシーケンス図である。
【図４】従来例の便槽（発酵槽）台数と発酵槽水分率（％）とを示す表１である。
【図５】本発明の便槽（発酵槽）台数と発酵槽水分率（％）とを示す表２である。
【図６】従来例における使用日数と使用回数との推移を示すグラフである。
【図７】従来例における使用日数と発酵槽水分率（％）の推移を示すグラフである。
【図８】従来例において使用日数における発酵槽水分率（％）と使用回数（使用人数）との関係を示すグラフである。
【図９】従来例の便槽（発酵槽）１を３台から６台設置時の使用日数における発酵槽水分率（％）の推移を示すグラフである。
【図１０】従来例の便槽（発酵槽）１を３台から６台設置時の使用日数における発酵槽水分率（％）と使用回数（使用人数）との関係を示すグラフである。
【図１１】実施例１の便槽（発酵槽）１の使用日数と使用回数を示すグラフである。
【図１２】実施例１の便槽（発酵槽）１の使用日数における発酵槽水分率（％）の推移を示すグラフである。
【図１３】実施例１の便槽（発酵槽）１の使用日数における発酵槽水分率（％）と使用回数との関係を示すグラフである。
【図１４】実施例２の使用日数における発酵槽水分率（％）の推移を示すグラフである。
【図１５】実施例２の使用日数における発酵槽水分率（％）と使用回数との関係を示すグラフである。
【図１６】従来の便槽（発酵槽）の平面図である。
【図１７】従来の便槽（発酵槽）の断面図である。
【図１８】従来の便槽（発酵槽）の一部切り欠きの側面図である。
【図１９】従来の便槽（発酵槽）の配線系統図である。
【符号の説明】
【００３１】
１    便槽（発酵槽）
２    上蓋
３    撹拌スクリュー
４    減速機付撹拌モータ
５    モータブラケット
６    小スプロケット
７    大スプロケット
８    チェーンガイド
９    チェーン
１０  加温器
１１  排気ファン
１２  消臭フィルター
ＣＴ  カウンター
ＦＬ  尿タンクレベル計
Ｌ    警報灯
ＬＣ  ドアー施錠ロック
Ｐ    定量ポンプ
ＰＳ  光センサー
Ｒ    リレー
ＳＳ  スイッチ
ＴＲ  タイマー
ＶＡ〜ＶＥ    電磁弁
【図１】
2006212125.tif 000003
【図２】
2006212125.tif 000004
【図３】
2006212125.tif 000005
【図４】
2006212125.tif 000006
【図５】
2006212125.tif 000007
【図６】
2006212125.tif 000008
【図７】
2006212125.tif 000009
【図８】
2006212125.tif 000010
【図９】
2006212125.tif 000011
【図１０】
2006212125.tif 000012
【図１１】
2006212125.tif 000013
【図１２】
2006212125.tif 000014
【図１３】
2006212125.tif 000015
【図１４】
2006212125.tif 000016
【図１５】
2006212125.tif 000017
【図１６】
2006212125.tif 000018
【図１７】
2006212125.tif 000019
【図１８】
2006212125.tif 000020
【図１９】
2006212125.tif 000021